(57)【要約】      （修正有）【課題】製造コストや運搬コスト、更には時間的なロスが生じにくい直管型ランプ照明器具用のリフレクタを提供する。【解決手段】直管型ランプを有する照明器具に対し、前記直管型ランプの背後の位置に取り付けられる直管型ランプ照明器具用リフレクタ１であって、高反射率の合成樹脂製の反射シート１２と、反射シート１２を照明器具に取り付けるために反射シート１２の前記直管型ランプに対向させる側と反対側の面に設けられて反射シート１２の長手方向にのびる取り付け具１１ａ、１１ｂとを備え、取り付け具１１ａ、１１ｂが、直管型ランプ照明器具用リフレクタ１を前記照明器具に取り付けるためのマグネット体と、該マグネット体を長手方向に摺動可能に保持する反射シート１２を長手方向に伸びるベース板と、該ベース板を反射シート１２に固定するための固定手段とからなる。【選択図】図１
2014154428.tif 000002
【特許請求の範囲】
【請求項１】
直管型ランプを有する照明器具に対し、前記直管型ランプの背後の位置に取り付けられるリフレクタであって、
高反射率の合成樹脂製の反射シートと、該反射シートを照明器具に取り付けるために前記反射シートの前記直管型ランプに対向させる側と反対側の面に設けられて前記反射シート長手方向にのびる取り付け具とを備え、
該取り付け具が、前記リフレクタを前記照明器具に取り付けるためのマグネット体と、反射シートを長手方向に伸び前記マグネット体を長手方向に摺動可能に保持するベース板と、該ベース板を前記反射シートに固定するための固定手段とからなることを特徴とする、
直管型ランプ照明器具用のリフレクタ。
【請求項２】
前記摺動部は、前記ベース板に、前記マグネット体を一部露出させた状態で摺動可能に係合させるＣ型レール状の保持部を設けてなる、請求項１に記載の直管型ランプ照明器具用のリフレクタ。
【請求項３】
前記固定手段が、前記ベース板の長手方向に沿った前記保持部を除く２箇所以上の位置に上下貫通する通孔を設け、前記反射シートの前記通孔に対応する位置に設けた取り付け穴及び前記通孔に両者を挟持する固定部材を取り付けてなる、請求項２に記載の直管型ランプ照明器具用のリフレクタ。
【請求項４】
前記マグネット体が、下側側部に前記Ｃ型レール状の保持部に係止される係止突部を有する、請求項２又は３に記載の直管型ランプ照明器具用のリフレクタ。
【発明の詳細な説明】
【技術分野】
【０００１】
本発明は、直管型ランプ照明器具用のリフレクタに関する。
【背景技術】
【０００２】
従来より、ランプから発せられる光を効率的に照射空間に拡散できるようにするために、種々の反射板が提案されてきた。そして現在では、直管型の照明器具においても、電球型の照明器具においても、ランプから発せられる光を効率的に照射空間に照射できるようにするために、反射笠を設けるような事は、もはや当たり前の事になっている。
【０００３】
更に近年では、省エネ対策という時代の潮流に応じ、使用する直管型ランプの本数を抑えるために、直管型ランプの反射笠とランプとの間に金属板等のリフレクタを取り付ける手法も提案されている。この種のリフレクタを照明器具に取り付けることで、照射空間への反射効率を更に高め、使用する直管型ランプの本数を少なくしつつ、明るさも維持することができる。しかしながら、このようなリフレクタは加工のために大掛かりな設備を要する上に、重量もあるため、製造コストや運搬コスト等がかさむという問題点を抱えていた。
【０００４】
そこで、照明器具の反射笠と直管型ランプとの間に、発泡素材からなるアーチ状のリフレクタを設置するような方法が提案されている（特許文献１参照）。発泡素材は金属と比べて軽量な上、加工も容易である。しかし、このようなリフレクタは、リフレクタを照明器具に取り付けるための取り付け具をリフレクタに設けておかなければならない。照明器具は、例えば反射笠を照明器具に設置するための留め具が施され、照明器具におけるランプに対向する側の表面には、凹凸が存在していることが一般的である。リフレクタの取り付け具は、照明器具への取り付け強度確保の観点から、この留め具等による凹凸が存在する位置を避けて配さなければならないが、留め具の位置は照明器具の仕様等に応じて異なっている。これによりリフレクタの取り付け時点になってようやく用意したリフレクタが使用できないことが発覚するというようなケースも散見され、製造コストや時間のロスが生じていたというのが実情であった。
【先行技術文献】
【特許文献】
【０００５】
【特許文献１】特開２０１０−７３３９１号公報
【発明の概要】
【発明が解決しようとする課題】
【０００６】
上記のような事情に鑑み、本発明の目的とするところは、製造コストや運搬コスト、更には時間的なロスが生じにくい直管型ランプ照明器具用のリフレクタを提供することにある。
【課題を解決するための手段】
【０００７】
即ち、本発明の要旨は以下の通りである。
〔１〕直管型ランプを有する照明器具に対し、前記直管型ランプの背後の位置に取り付けられるリフレクタであって、
高反射率の合成樹脂製の反射シートと、該反射シートを照明器具に取り付けるために前記反射シートの前記直管型ランプに対向させる側と反対側の面に設けられて前記反射シート長手方向にのびる取り付け具とを備え、
該取り付け具が、前記リフレクタを前記照明器具に取り付けるためのマグネット体と、反射シートを長手方向に伸び前記マグネット体を長手方向に摺動可能に保持するベース板と、該ベース板を前記反射シートに固定するための固定手段とからなることを特徴とする、
直管型ランプ照明器具用のリフレクタ、
〔２〕前記摺動部は、前記ベース板に、前記マグネット体を一部露出させた状態で摺動可能に係合させるＣ型レール状の保持部を設けてなる、前記〔１〕に記載の直管型ランプ照明器具用のリフレクタ、
〔３〕前記固定手段が、前記ベース板の長手方向に沿った前記保持部を除く２箇所以上の位置に上下貫通する通孔を設け、前記反射シートの前記通孔に対応する位置に設けた取り付け穴及び前記通孔に両者を挟持する固定部材を取り付けてなる、前記〔２〕に記載の直管型ランプ照明器具用のリフレクタ、
〔４〕前記マグネット体が、下側側部に前記Ｃ型レール状の保持部に係止される係止突部を有する、前記〔２〕又は〔３〕に記載の直管型ランプ照明器具用のリフレクタ、
である。
【発明の効果】
【０００８】
以上にしてなる本願発明に係る直管型ランプ照明器具用のリフレクタは、リフレクタ本体に軽量で加工性に優れる合成樹脂を使用しているので、製造コストや運搬コストを低廉にすませることができる。また、照明器具にリフレクタを取り付けるためのマグネット体は、取り付け具の長手方向に沿って摺動可能であるため、照明器具自体にある留め具などによる凹凸を適宜回避しながら、適切な位置に前記マグネット体を摺動させ、リフレクタを照明器具に設置することができる。従って、予め必要なサイズのリフレクタさえ準備しておけば、リフレクタを照明器具に設置する時点で、リフレクタが規格に合わずに取り付け不可能であることが発覚したり、そのようなロスを避けるために予め照明器具の形状を詳細にチェックしておく必要があったりするという懸念がない。
【０００９】
ここで、摺動部としてＣ型レール状の保持部を設けることにより、リフレクタを照明器具から取り外す際に、マグネット体だけが照明器具に磁力でくっついたまま取り残されるという事態を回避することができる。
【００１０】
またベース板の長手方向に沿って、保持部を除く２箇所以上の位置に上下貫通する通孔を設け、該通孔を利用して固定部材により反射シートと取り付け具を挟持させることにより、反射シートと取り付け具を確実に固定できると同時に、マグネット体が保持部の長手方向端部から脱落するのを防止することができる。
【００１１】
また、マグネット体の下側側部には、マグネット体がＣ型レール状の保持部に係止されるようにするための係止突部を設けることにより、マグネット体を保持部に確実に係止できると共に、マグネット上面を照明器具に当接させることが可能になると同時にマグネット体の下側上面がＣ型レール状の保持部の係止面に接触するので、前記マグネットの当接によりリフレクタと照明器具との取り付けを強固にできると共に、取り付け後のリフレクタのぐらつきも抑えることができる。
【図面の簡単な説明】
【００１２】
【図１】（ａ）本発明の直管型ランプ照明器具用リフレクタの一例の斜視図。（ｂ）本発明の直管型ランプ照明器具用リフレクタの変形例の斜視図。
【図２】本発明の直管型ランプ照明器具用リフレクタの取り付け具の断面図の例。
【図３】（ａ）本発明の直管型ランプ照明器具用リフレクタの取り付け具の一例の斜視図。（ｂ）本発明の直管型ランプ照明器具用リフレクタの取り付け具の変形例の斜視図。
【図４】本発明の直管型ランプ照明器具用リフレクタにおける保持部の断面図。
【図５】（ａ）本発明の直管型ランプ照明器具用リフレクタのマグネット体の一例の斜視図。（ｂ）本発明の直管型ランプ照明器具用リフレクタのマグネット体の変形例の斜視図。
【発明を実施するための形態】
【００１３】
本発明に係る直管型ランプ照明器具用のリフレクタは、直管型ランプ照明器具に設置して、照明器具本体側に照射される光を反射させてロスすることなく利用することにより、直管型ランプ照明器具の照度を向上させたり、使用する直管型ランプの本数を減らすことにより省エネを図ったりするためのものであり、図１に示すように、取り付け具１１（ａ、ｂ）及び反射シート１２とからなる。そしてこのような構成からなる直管型ランプ照明器具用リフレクタ１は、図２に示すように、直管型ランプ２１と、照明器具本体２２又は反射笠２３との間に設置される。
【００１４】
反射シート１２は、方形の平面形状に形成される。反射シート１２の長手方向の長さＬは、設置対象となる直管型ランプ照明器具の長手方向両端に配される２つのソケット間の長さより短くする必要がある。一方、反射シート１２の短手方向の長さは、反射笠を有する照明器具に使用する場合には、直管型ランプ照明器具の反射笠２３のサイズ・形状にあわせたり、反射笠のない照明器具、いわゆるトラフ型照明器具に使用する場合は、そのランプの光量にあわせたりして、適宜設定すればよい。反射シート１２の厚みは、後述する反射シート１２の素材にもよるが、少なくとも設置した際にその形状を維持できる程度の厚みを有しつつも、反射笠２３と直管型ランプ２１の隙間に反射シートを通すことができる程度の薄さである必要がある。
【００１５】
反射シート１２には、本発明に係るリフレクタを直管型ランプ照明器具に設置する際に、反射笠のサイズ・形状にあわせて折り曲げ加工しやすいように、長手方向に伸びる複数のプレス線を設けても良い。
【００１６】
反射シート１２の素材は、白色または白色に近い色で、折り曲げ加工しやすい合成樹脂であれば特に限定はないが、特に発泡性合成樹脂が、直管型ランプより発せられる光を効果的に乱反射するので好適である。このような発泡性合成樹脂として、例えばポリエステル、ポリフェニレンサルファイド、ポリプロピレン及びシクロポリオフィレンの発泡樹脂があげられ、中でも古河電気工業株式会社製のポリエステル発泡シート、ＭＣＰＥＴ（登録商標）が好適であるが、これらに限定されるものではない。
【００１７】
取り付け具１１ａ、ｂは、図２に示すように、反射シートにおける、直管型ランプに対向させる側と反対側の面に設けられる。反射シートの形状やサイズに応じて、反射シート１２の長手方向に沿って複数設けても良い。図１（ａ）において、取り付け具１１ａは反射シートの短手方向中央の、長手方向に沿って２箇所設けられているが、特にこれに限定されるものではなく、リフレクタを設置する照明器具の直管型ランプの配置により、適宜変更可能であり、リフレクタが照明器具から脱落しない個数、位置であればよい。それ以外にも、例えば図１（ｂ）に示されるように、取り付け具１１ｂを、反射シート１２の端縁に設けてもよい。勿論、反射シート１２の端縁に設けた取り付け具１１ｂについても、反射シートのサイズ等に応じて、反射シート１２の長手方向に沿って複数設けるとよい。
【００１８】
取り付け具１１ａ、ｂは、図３に示すように、マグネット体３１、ベース板３２、及び固定手段３３（Ａ、Ｂ）とから構成される。
【００１９】
マグネット体３１は磁性を有しており、その磁性を利用してリフレクタを照明器具に取り付ける働きをする。マグネット体は保持部３５を長手方向に摺動可能であって、リフレクタを照明器具に設置する際に、照明器具表面の留め具などによる凹凸を回避しながらマグネット体を適切な位置に配することが可能である。
【００２０】
このような、マグネット体３１を摺動させるためのベース板３２の保持部３５の構造としては、リフレクタを照明器具から何度でも脱着可能とするために、保持部３５からマグネット体３１が容易に脱落しないような構造とする必要がある。つまりマグネット体の照明器具に接触させる面を表面に露出させつつベース板に摺動可能に保持させることが可能な方法が考えられ、例えば、マグネット体３１を図３のように一部露出させて摺動可能とさせるＣ型レール状の保持部３５を設ける方法があげられるが、これに限定されない。
【００２１】
Ｃ型レール状の具体的な形状としては、図４に示した断面図のように、各種の形状が例示される。その一例として、例えば図４（ａ）〜（ｄ）のように、ベース板３２の反射シート１２に接触する面に直立させたガイド壁を設け、更にそのガイド壁の上端に係止面を設けるような形状があげられる。その他にも図４（ｅ）〜（ｉ）のようにガイド壁をベース板３２の反射シート１２に接触する面に直立させて設けるのではなく、ガイド壁に傾斜や湾曲を与えることにより、その内側に保持されるマグネット体３１を保持することができるようにする形状もあげられる。しかしＣ型レール状の保持部３５とは、図４に例示した形状のみに限定されるものではなく、その保持部の断面図がアルファベットのＣに近い形状をしたうえで、内側に保持されるマグネット体の脱落を抑止できる形状であればよい。
【００２２】
ベース板３２の材質としては、その形状を維持し、且つリフレクタを脱着する際にマグネット体３１と照明器具を引き合わせる磁力に負けない程度の強度を有していれば特に限定はなく、例えばプラスチックや金属を用いることができる。
【００２３】
マグネット体３１は、基本的には永久磁石等の磁性体４１より構成されるが、保持部で摺動される際における滑りを良くするために、図４（ｂ）、（ｃ）、（ｅ）〜（ｉ）に示されるように、その側面や底面等を弾性部材４２で構成しても良い。
【００２４】
リフレクタの照明器具への磁力による接着を強固にするために、マグネット体３１における最も照明器具側の面は、照明器具に接触するように構成され、その接触する部位は磁性体である必要がある。そしてその照明器具に接触する部位の面積は、なるべく広くなるように構成する方が、リフレクタを確実に照明器具に固定することができる。
【００２５】
マグネット体３１及び保持部３５における、最も照明器具側に存在する面は、リフレクタを照明器具に設置した際に、略面一となるように構成するのが望ましく、例えば図４（ａ）〜（ｉ）のように、常に前述の２つの面が略面一となるように構成してもよいし、図４（ｊ）〜（ｋ）のように、リフレクタを照明器具に設置した際にのみ、保持部の内側に保持されるマグネット体３１がベース板の当止面に係合して略面一となるように構成してもよい。
【００２６】
リフレクタを照明器具に設置した際に、マグネット体３１及び保持部３５における、最も照明器具側に存在する面が略面一になるようにするのが望ましいのに加えて、リフレクタを照明器具に設置した際には、マグネット体３１が保持部３５に当止される面が、なるべく大きな面積を有するように構成することにより、リフレクタを照明器具に設置した際におけるリフレクタのガタつきを抑制することができる。
【００２７】
保持部３５のマグネット体３１への当止面をなるべく大きくとるための形状としては、図５（ａ）に示されるように、円柱を縦に２段に重ねた形状であってもよいし、図５（ｂ）に示されるように、四角中を縦に２段に重ねたような形状であってもよいが、ここに例示した形状のように、マグネット体３１の下側側部に、Ｃ型レール状の保持部３５に係止される係止突部を有するような形状であればよく、これらに限定されるものではない。
【００２８】
固定手段３３の仕組みについては、図３（ａ）に示すように、ベース板３２により形成されるマグネット体３１の保持部の長手方向両端の位置に上下に貫通する通孔を設け、ここに反射シート１２とベース板３２とを挟持・固定させるような固定部材３４を挿通して固定する方法があげられる。この際に使用する固定部材３４としては、反射シート１２とベース板３２とを確実に挟持・固定できるような部材であれば特に限定はなく、ボルト３４ａ並びにナット３４ｃ、及びリベット等が例示されるが、これらに限定されない。また、固定部材３４としてボルト及びナットを使用する際には、座面の確保や緩み防止の観点から、平ワッシャー３４ｂやスプリングワッシャー等、適宜の補助部材を使用してもよい。
【００２９】
固定手段３３は、例えばベース板３２の長手方向両端に２箇所設けても良いし、取り付け具１１が長手方向に長いものである等、種々の事情がある場合には前記両端以外でも、取り付け具１１の長手方向に沿った位置に適宜設ければよい。但し、固定手段３３を前述した、固定部材３４を反射シート１２とベース板３２とに挿通させる構成にする場合には、固定手段３３はベース板３２の長手方向両端に設けた方が、マグネット体３１が保持部からの脱落するのを防止できるため、好適である。
【００３０】
一方、図１（ｂ）に示すように、取り付け具１１ｂを反射シート１２の端縁に設ける場合には、前述の図３（ａ）に示したような取り付け具を使用してもよいが、図３（ｂ）に示すように、ベース板３２をマグネット体３１と反対側に折り返し、該折り返し構造によって反射シート１２を挟持・固定するような方法も挙げられる。
【００３１】
尚、固定手段３３Ａにおけるボルト３４ａのツマミ部や、固定手段３３Ｂにおける直管型ランプに対向させる側の面は、目立たないようにするために、反射シート１２と同色又は略同色とするのが好適である。
【符号の説明】
【００３２】
１  直管型ランプ照明器具用リフレクタ
１１ａ  取り付け具
１１ｂ  取り付け具
１２  反射シート
２１  直管型ランプ
２２  照明器具本体
２３  反射笠
３１  マグネット体
３２  ベース板
３３  固定手段
３３Ａ  固定手段
３３Ｂ  固定手段
３４  固定部材
３４ａ  ボルト
３４ｂ  ワッシャー
３４ｃ  ナット
３５  保持部
４１  磁性体
４２  弾性部材
Ｌ  反射シートの長手方向の長さ
【図１】
2014154428.tif 000003
【図２】
2014154428.tif 000004
【図３】
2014154428.tif 000005
【図４】
2014154428.tif 000006
【図５】
2014154428.tif 000007